(57)【要約】  【課題】  フレームデータの追加または削除を伴う処理が生じた場合でも、複数のフレームデータにそれぞれ対応したユーザコードを組み合わせて規定されるショットマークの検出を可能にするデータ処理装置を提供する。  【解決手段】  検出回路３３は、入力した１フレームデータに同期して入力したユーザコードＵＣが、ショットマークを構成する先頭のユーザコードＵＣと一致するか否かを検出する。置換回路３４は、検出回路３３が一致を検出すると、上記入力したユーザコードＵＣに続いて入力した１９個のユーザコードＵＣを、ショットマークを規定するユーザコードＵＣのうち先頭の１個のユーザコードＵＣに続く対応するユーザコードＵＣに置換して書き込みヘッド３５に出力する。【選択図】  図６
2005039502.tif 000002
【特許請求の範囲】
【請求項１】
複数の連続したフレームデータのそれぞれに対応した複数の指標データを組み合わせて識別データが規定される場合に、前記指標データの処理を行うデータ処理装置であって、
前記識別データを規定した複数の前記指標データがフレームレート変換を経て前記識別データと異なるパターンを示した場合に、前記異なるパターンを前記識別データのパターンに置換する置換手段
を有するデータ処理装置。
【請求項２】
前記指標データの各々の内部の予め決められた位置のデータを、所定のパターンで変化させて前記識別マークが規定されている
請求項１に記載のデータ処理装置。
【請求項３】
前記指標データは、ユーザが値を設定可能な４バイトのデータであり、前記４バイトのデータのうち少なくとも１バイトは前記指標データの識別データであり、少なくとも１バイトは当該指標データが前記識別マークである場合に前記所定のパターンに応じた値を示す
請求項２に記載のデータ処理装置。
【請求項４】
前記フレームレート変換を行う変換手段
をさらに有し、
前記置換手段は、前記変換手段で変換された前記指標データに対して前記置換を行う
請求項１に記載のデータ処理装置。
【請求項５】
前記置換手段で前記置換された前記指標データを基に、前記フレームデータの編集を行う編集手段
をさらに有する請求項１に記載のデータ処理装置。
【請求項６】
入力したフレームデータを第１の所定数の前記フレームデータの入力に要する時間だけ遅延して入力順に出力する遅延手段と、
前記第１の所定数より大きい第２の所定数の連続した前記フレームデータの各々に同期して順に入力される前記第２の所定数の前記指標データを当該指標データに対応する前記フレームデータが前記遅延手段に入力される順に組み合わせて先頭から末尾に向けて構成される識別マークが規定される場合に、前記第１の所定数以下でかつ前記第２の所定数以下の第３の所定数の前記フレームデータに対応して入力した前記指標データを当該入力した順に組み合わせて規定されるパターンデータが、前記識別マークの先頭側の前記第３の所定数の指標データによって規定されるパターンデータと一致するか否かを検出する検出手段と、
前記検出手段が一致を検出すると、前記遅延手段に入力される前記フレームデータと同期して前記第３の所定数の前記指標データに続いて入力した前記指標データを、前記識別マークを規定する前記指標データのうち前記先頭側の前記第３の所定数の前記指標データに続く対応する指標データに置換して前記識別マークを生成する置換手段と、
前記遅延手段が出力した前記フレームデータと、当該フレームデータに対応し前記置換手段が置換した前記指標データとを同期させて出力する出力手段と
を有するデータ処理装置。
【請求項７】
前記第２の所定数の前記指標データを組み合わせて前記識別マークが付加された動画を構成する複数の前記フレームデータに対して、新たな前記フレームデータおよびそれに対応する前記指標データの追加、あるいは前記フレームデータおよびそれに対応する前記指標データの削除を行って、前記動画を構成する単位時間の前記フレームデータの数を変換する処理を施す変換手段
をさらに有し、
前記検出手段は、前記変換手段で変換された前記指標データを入力して前記検出を行い、
前記置換手段は、前記変換手段で変換された前記指標データを入力して前記置換を行い、
前記出力手段は、前記変換手段で変換された前記フレームデータを前記出力する
請求項６に記載のデータ処理装置。
【請求項８】
前記出力手段が出力した前記指標データを基に、前記出力手段が出力した前記フレームデータの編集を行う編集手段
をさらに有する請求項６に記載のデータ処理装置。
【請求項９】
前記フレームデータおよび前記指標データを記録した記録媒体から、前記フレームデータとそれに対応する前記指標データとを同期して読み出し、当該読み出した前記フレームデータを前記遅延手段に出力し、当該読み出した前記指標データを前記検出手段および前記置換手段に出力する読み出し手段
をさらに有する請求項６に記載のデータ処理装置。
【請求項１０】
複数の連続したフレームデータのそれぞれに対応した複数の指標データを組み合わせて識別データが規定される場合に、前記指標データの処理を行うデータ処理方法であって、
前記識別データを規定した複数の前記指標データがフレームレート変換を経て前記識別データと異なるパターンを示した場合に、前記異なるパターンを前記識別データのパターンに置換する工程
を有するデータ処理方法。
【請求項１１】
伝送されるフレームデータを第１の所定数の前記フレームデータの入力に要する時間だけ遅延する第１の工程と、
前記第１の所定数より大きい第２の所定数の連続した前記フレームデータの各々に同期して順に伝送される前記第２の所定数の前記指標データを当該指標データに対応する前記フレームデータが前記第１の工程で遅延される順に組み合わせて先頭から末尾に向けて構成される識別マークが規定される場合に、前記第１の所定数以下でかつ前記第２の所定数以下の第３の所定数の前記フレームデータに対応して伝送される前記指標データを当該伝送される順に組み合わせて規定されるパターンデータが、前記識別マークの先頭側の前記第３の所定数の指標データによって規定されるパターンデータと一致するか否かを検出する第２の工程と、
前記第２の工程で一致を検出すると、前記第１の工程で遅延される前記フレームデータと同期して前記第３の所定数の前記指標データに続いて伝送された前記指標データを、前記識別マークを規定する前記指標データのうち前記先頭側の前記第３の所定数の前記指標データに続く対応する指標データに置換して前記識別マークを生成する第３の工程と、
前記第１の工程で遅延された前記フレームデータと、当該フレームデータに対応し前記第３の工程で置換した前記指標データとを同期させる第４の工程と
を有するデータ処理方法。
【発明の詳細な説明】
【技術分野】
【０００１】
本発明は、連続して処理されるフレームデータの追加または削除を伴う処理が生じた場合でも、複数のフレームデータにそれぞれ対応した指標データ（ユーザコード）を組み合わせて規定される識別マーク（ショットマーク）の検出を可能にするデータ処理装置およびその方法に関する。
【背景技術】
【０００２】
例えば、ビデオカメラなどの撮像装置では、撮像時に、グットショットの位置などを後に行われる編集時に容易に特定できるように、ユーザの操作に応じて、磁気テープ上のグットショットのフレームデータの記録位置に対応する記録位置にショットマークを記録する。
例えば、撮像装置は、動画を構成する例えば、連続した２０フレームのフレームデータのそれぞれに対応する２０個のユーザコードとして所定のパターン変化を持つものをショットマークとして規定して磁気テープ上に記録する。
これにより、ユーザが使用するユーザコードに、ショットマークと同じパターンが偶発的に生じる可能性を略ゼロにしている。
編集装置は、ユーザコード内の上記所定のパターン変化を検出することで、上記ショットマークを検出する。
【発明の開示】
【発明が解決しようとする課題】
【０００３】
ところで、例えば、撮像装置で撮像して磁気テープに記録された２４フレーム／秒の第１のビデオ信号を、所定の規則で同じフレームを連続して配置することで、ＮＴＳＣ(National Television System Committee)方式などに適合した３０フレーム／秒の第２のビデオ信号に変換する２−３プルダウンがある。
このような２−３プルダウンを行うと、同じフレームが連続して配置されることに伴い、それに対応するユーザコードも連続して配置され、上記第１のビデオ信号に前述したショットマークが付されていても、そのパターン変化が本来のショットマークのパターンと異なってしまい、編集装置がショットマークを検出できないという問題がある。
【０００４】
本発明は、上述した従来技術の問題点に鑑みてなされ、連続して処理されるフレームデータの追加または削除を伴う処理が生じた場合でも、複数のフレームデータにそれぞれ対応した指標データ（ユーザコード）を組み合わせて規定される識別マーク（ショットマーク）の検出を可能にするデータ処理装置およびその方法を提供することを目的とする。
【課題を解決するための手段】
【０００５】
上述した目的を達成するために、第１の発明のデータ処理装置は、複数の連続したフレームデータのそれぞれに対応した複数の指標データを組み合わせて識別データが規定される場合に、前記指標データの処理を行うデータ処理装置であって、前記識別データを規定した複数の前記指標データがフレームレート変換を経て前記識別データと異なるパターンを示した場合に、前記異なるパターンを前記識別データのパターンに置換する置換手段を有する。
【０００６】
第１の発明のデータ処理装置の作用は以下のようになる。
すなわち、置換手段が、識別データを規定した複数の前記指標データがフレームレート変換を経て前記識別データと異なるパターンを示した場合に、前記異なるパターンを前記識別データのパターンに置換する。
【０００７】
第２の発明のデータ処理装置は、入力したフレームデータを第１の所定数の前記フレームデータの入力に要する時間だけ遅延して入力順に出力する遅延手段と、前記第１の所定数より大きい第２の所定数の連続した前記フレームデータの各々に同期して順に入力される前記第２の所定数の前記指標データを当該指標データに対応する前記フレームデータが前記遅延手段に入力される順に組み合わせて先頭から末尾に向けて構成される識別マークが規定される場合に、前記第１の所定数以下でかつ前記第２の所定数以下の第３の所定数の前記フレームデータに対応して入力した前記指標データを当該入力した順に組み合わせて規定されるパターンデータが、前記識別マークの先頭側の前記第３の所定数の指標データによって規定されるパターンデータと一致するか否かを検出する検出手段と、前記検出手段が一致を検出すると、前記遅延手段に入力される前記フレームデータと同期して前記第３の所定数の前記指標データに続いて入力した前記指標データを、前記識別マークを規定する前記指標データのうち前記先頭側の前記第３の所定数の前記指標データに続く対応する指標データに置換して前記識別マークを生成する置換手段と、前記遅延手段が出力した前記フレームデータと、当該フレームデータに対応し前記置換手段が置換した前記指標データとを同期させて出力する出力手段とを有する。
【０００８】
第２の発明のデータ処理装置の作用は以下のようになる。
遅延手段が、入力したフレームデータを第１の所定数の前記フレームデータの入力に要する時間だけ遅延して入力順に出力する。
それと並行して、検出手段が、前記第１の所定数以下でかつ前記第２の所定数以下の第３の所定数の前記フレームデータに対応して入力した前記指標データを当該入力した順に組み合わせて規定されるパターンデータが、前記識別マークの先頭側の前記第３の所定数の指標データによって規定されるパターンデータと一致するか否かを検出する。
そして、置換手段が、前記検出手段が一致を検出すると、前記遅延手段に入力される前記フレームデータと同期して前記第３の所定数の前記指標データに続いて入力した前記指標データを、前記識別マークを規定する前記指標データのうち前記先頭側の前記第３の所定数の前記指標データに続く対応する指標データに置換して前記識別マークを生成する。
そして、出力手段が、前記遅延手段が出力した前記フレームデータと、当該フレームデータに対応し前記置換手段が置換した前記指標データとを同期させて出力する。
【０００９】
第３の発明のデータ処理方法は、複数の連続したフレームデータのそれぞれに対応した複数の指標データを組み合わせて識別データが規定される場合に、前記指標データの処理を行うデータ処理方法であって、前記識別データを規定した複数の前記指標データがフレームレート変換を経て前記識別データと異なるパターンを示した場合に、前記異なるパターンを前記識別データのパターンに置換する工程を有する。
【００１０】
第４の発明のデータ処理方法は、伝送されるフレームデータを第１の所定数の前記フレームデータの入力に要する時間だけ遅延する第１の工程と、前記第１の所定数より大きい第２の所定数の連続した前記フレームデータの各々に同期して順に伝送される前記第２の所定数の前記指標データを当該指標データに対応する前記フレームデータが前記第１の工程で遅延される順に組み合わせて先頭から末尾に向けて構成される識別マークが規定される場合に、前記第１の所定数以下でかつ前記第２の所定数以下の第３の所定数の前記フレームデータに対応して伝送される前記指標データを当該伝送される順に組み合わせて規定されるパターンデータが、前記識別マークの先頭側の前記第３の所定数の指標データによって規定されるパターンデータと一致するか否かを検出する第２の工程と、前記第２の工程で一致を検出すると、前記第１の工程で遅延される前記フレームデータと同期して前記第３の所定数の前記指標データに続いて伝送された前記指標データを、前記識別マークを規定する前記指標データのうち前記先頭側の前記第３の所定数の前記指標データに続く対応する指標データに置換して前記識別マークを生成する第３の工程と、前記第１の工程で遅延された前記フレームデータと、当該フレームデータに対応し前記第３の工程で置換した前記指標データとを同期させる第４の工程とを有する。
【００１１】
第４の発明のデータ処理方法の作用は以下のようになる。
第１の工程において、伝送されるフレームデータを第１の所定数の前記フレームデータの入力に要する時間だけ遅延する。
前記第１の工程と並行して第２の工程において、前記第１の所定数以下でかつ前記第２の所定数以下の第３の所定数の前記フレームデータに対応して伝送される前記指標データを当該伝送される順に組み合わせて規定されるパターンデータが、前記識別マークの先頭側の前記第３の所定数の指標データによって規定されるパターンデータと一致するか否かを検出する。
そして、第３の工程において、前記第２の工程で一致を検出すると、前記第１の工程で遅延される前記フレームデータと同期して前記第３の所定数の前記指標データに続いて伝送された前記指標データを、前記識別マークを規定する前記指標データのうち前記先頭側の前記第３の所定数の前記指標データに続く対応する指標データに置換して前記識別マークを生成する。
そして、第４の工程において、前記第１の工程で遅延された前記フレームデータと、当該フレームデータに対応し前記第３の工程で置換した前記指標データとを同期させる。
【発明の効果】
【００１２】
本発明によれば、フレームデータの追加または削除を伴う処理が生じた場合でも、複数のフレームデータにそれぞれ対応した指標データを組み合わせて規定される識別マークの検出を可能にするデータ処理装置およびその方法を提供することができる。
また、本発明によれば、フレームデータを遅延させるためにフレームデータを保持する手段（遅延手段）を小規模に構成できる。
【発明を実施するための最良の形態】
【００１３】
以下、本発明の実施の形態を図面を参照しながら説明する。
第１実施形態
以下、図１〜図７を参照して本実施形態のデータ処理システム１について説明する。
先ず、本実施形態の構成要素と、本発明の構成要素と対応関係を説明する。
本実施形態において、図６に示す遅延回路３２が第２の発明の遅延手段に対応し、検出回路３３が第２の発明の検出手段に対応し、置換回路３４が第１および第２の発明の置換手段に対応し、書き込みヘッド３５が第２の発明の出力手段に対応している。
また、図１に示す２−３プルダウン部１１が第１および第２の発明の変換手段に対応し、図６に示す読み出しヘッド３１が第２の発明の読み出し手段に対応している。
また、本実施形態において、フレームデータＦＤが本発明のフレームデータに対応し、ユーザコードＵＣが本発明の指標データに対応し、ショットマークＳＭ（ＳＭ２）が本発明の識別マークに対応している。
なお、本実施形態では、第２の発明の第１の所定数として「１」、第２の所定数として「２０」、第３の所定数として「１」を適用した場合を例示する。
【００１４】
次に、図６を参照して、本発明に係わるＳＭ補正部１２の概要を説明する。
ＳＭ補正部１２は、複数の連続したフレームデータＦＤのそれぞれに対応した複数のユーザコードＵＣを組み合わせてショットマークＳＭが規定される場合に、ユーザコードＵＣの処理を行う。ＳＭ補正部１２は、ショットマークＳＭを規定した複数のユーザコードＵＣがフレームレート変換を経てショットマークＳＭと異なるパターンを示した場合に、当該異なるパターンをショットマークＳＭのパターンに置換する。
具体的には、ＳＭ補正部１２は、読み出しヘッド３１によって磁気テープ２２から読み出されて入力したフレームデータＦＤを、１（第１の所定数）フレームデータの読み出し（入力）に要する時間だけ遅延回路３２で順に遅延して書き込みヘッド３５に出力する。
また、ＳＭ補正部１２は、フレームデータＦＤと同期して磁気テープ２２から読み出されたユーザコードＵＣを検出回路３３および置換回路３４に出力する。
本実施形態では、連続した２０フレームデータ（第１の所定数より大きい第２の所定数）のそれぞれ対応する２０個のユーザコードＵＣを入力する順に先頭から末尾に向けて組み合わせてショットマークＳＭが規定されている。
【００１５】
検出回路３３は、入力した１フレームデータに同期して入力したユーザコードＵＣ（前記第１の所定数以下でかつ前記第２の所定数以下の第３の所定数の前記フレームデータに対応する前記入力した指標データを当該入力した順に組み合わせて規定されるパターンデータ）が、ショットマークを構成する先頭のユーザコードＵＣと一致するか否かを検出する。
そして、置換回路３４は、検出回路３３が一致を検出すると、上記入力したユーザコードＵＣに続いて入力した１９個のユーザコードＵＣを、ショットマークを規定するユーザコードＵＣのうち先頭の１個のユーザコードＵＣに続く対応するユーザコードＵＣに置換して書き込みヘッド３５に出力する。
書き込みヘッド３５は、遅延回路３２から入力したフレームデータＦＤと、置換回路３４から入力したユーザコードＵＣとを同期させて、磁気テープ２３上の対応する記録領域に書き込む。
【００１６】
ＳＭ補正部１２では、上述したように、ショットマークを構成する先頭のユーザコードＵＣを検出すると、それに続く１９個のユーザコードＵＣを強制的にショットマークのパターンに置換する。これにより、磁気テープ２２に記録されたフレームデータＦＤが、例えば、２−３プルダウンされたものであり、２−３プルダウンされる前のショットマークのパターンが本来のショットマークのパターンと異なるパターンになっていても、それを強制的にショットマークのパターンに置換でき、編集部１３がショットマークを適切に検出できる。
また、上述したように、ＳＭ補正部１２では、入力した１フレームデータに同期して入力した１個のユーザコードＵＣが、ショットマークを構成する先頭のユーザコードＵＣと一致した場合に、上記置換を行うことで、遅延回路３２において遅延ために保持するフレームデータＦＤのデータ量を１フレームデータのデータ量にでき、遅延回路３２を小規模に構成できる。
この場合に、ユーザコードＵＣは、４バイトのデータであり、ユーザが指定したコードが偶発的にショットマークの先頭のユーザコードと一致する可能性は非常に低く、略ゼロである。従って、ユーザが指定したコードを基に誤ってショットマークを生成してしまう可能性は略ゼロである。
【００１７】
以下、データ処理システム１の詳細な構成を説明する。
図１は、本発明の第１実施形態に係るデータ処理システム１の構成図である。
図１に示すように、データ処理システム１は、例えば、撮像装置１０、２−３プルダウン部１１、ＳＭ補正部１２および編集部１３を有する。
なお、本実施形態では、２−３プルダウン部１１からＳＭ補正部１２、並びにＳＭ補正部１２から編集部１３へのデータ提供をそれぞれＶＴＲ(Video Tape Recorder) などの磁気テープ２２，２３を用いて行う場合を例示する、これらのデータ提供をデータ伝送線を介して行ってもよい。
但し、この場合には、後述するフレームデータＦＤとそれに対応するユーザコードＵＣとを同期させてデータ伝送線を介して伝送する。
また、ＳＭ補正部１２、あるいは２−３プルダウン部１１およびＳＭ補正部１２の双方は、編集部１３と共に編集装置の内部に配設されてもよい。
【００１８】
〔撮像装置１０〕
撮像装置１０は、撮像により得たビデオ信号、並びに音声入力により得たオーディオ信号をデジタル形式でフレームデータＦＤとして磁気テープ２１に記録する。
この場合に、撮像装置１０は、ユーザの操作に応じて、磁気テープ２１上の指定されたフレームデータＦＤに対応する位置にショットマークＳＭを記録する。
当該ショットマークＳＭには、例えば、磁気テープ２１へのフレームデータＦＤの記録開始を示すＲＥＣスタートマーク、グットショットなどを示すショットマーク１，２、並びにポストマークなどがある。
ＲＥＣスタートマークは、記録開始時に撮像装置１０によって自動的に磁気テープ２１に書き込まれる。
ショットマーク１，２は、撮像時におけるユーザによる操作に応じて、撮像装置１０によって磁気テープ２１に書き込まれる。
ポストマークは、ユーザによる操作に応じて、編集部１３などによって磁気テープ２３に書き込まれる。
【００１９】
図２は、磁気テープ２１の記録フォーマットを説明するための図である。
図１に示す磁気テープ２２，２３は、磁気テープ２１と同じ記録フォーマットを有している。
図２に示すように、磁気テープ２１には、フレームデータＦＤを構成するデジタルのビデオ信号およびオーディオ信号が記録される傾斜トラックＴＤが設けられている。
傾斜トラックＴＤは、ビデオ信号が記録される領域ＴＤＶと、オーディオ信号が記録される領域ＴＤＡとを有する。
【００２０】
磁気テープ２１の一方の縁部には、ヘッドによってアナログの音声信号が記録され、磁気テープ２１の長手方向に延びる音声トラックＴＡが設けられている。
磁気テープ２１の他方の縁部には、ヘッドによってコントロール信号が記録され、磁気テープＨ２１の長手方向に延びるコントロールトラックＴＣが設けられている。
また、磁気テープ２１には、コントロールトラックＴＣに隣接してヘッドによってタイムコード信号が記録されるタイムコードトラックＴＴが設けられている。
タイムコードトラックＴＴに記録されるタイムコードＬＴＣは、図３に示すように、８０ビットからなる１フレームエリアを１単位として構成されている。
この１フレームエリアは、同期信号を記録するための同期信号エリア、タイムコードＴＣを記録するための８個のタイムコードエリアＨ，Ｍ，Ｓ，Ｆ、並びにユーザコードＵＣ（ユーザーズビット）を記録するための８個のユーザコードエリアＤ１，Ｄ２，Ｃ１，Ｃ２，Ｂ１，Ｂ２，Ａ１，Ａ２を有する。
【００２１】
上記８個のユーザコードエリアのうち、ユーザコードエリアＤ１，Ｄ２には、ユーザコードＵＣの４バイト目である固定値ＦＦＨが記録される。
また、ユーザコードエリアＣ１，Ｃ２には、ユーザコードＵＣの３バイト目であるマーク種別コードが記録される。
マーク種別コードは、マークの種類、例えば、ショットマークの種類を示している。
ショットマークの種類には、前述したように、ＲＥＣスタートマーク、ショットマーク１，２などがある。
撮像装置１０は、ユーザから撮像指示を受けると、マーク種別コードとして、ＲＥＣスタートマークの識別コードをユーザコードエリアに記録する。
撮像装置１０は、ユーザから「ショットマーク１」の指示を受けると、マーク種別コードとして、ショットマーク１の識別コードをユーザコードエリアに記録する。
撮像装置１０は、ユーザから「ショットマーク２」の指示を受けると、マーク種別コードとして、ショットマーク２の識別コードをユーザコードエリアに記録する。
【００２２】
ユーザコードエリアＢ１，Ｂ２には、ユーザコードＵＣの２バイト目であるカウント値が記録される。
撮像装置１０は、ユーザからのショットマークの指示を受けると、その指示を受けたタイミングのフレームデータとそれに続く１９フレームの合計２０フレームに対応するユーザコードエリアＢ１，Ｂ２に、例えば、値を順に１づつ小さくするカウント値を記録する。
このように、複数の連続したフレームデータのそれぞれに割り当てられた複数のユーザコードＵＣに所定のパターン変化を持たせることでショットマークが規定される。これにより、ユーザが使用するユーザコードＵＣに、ショットマークと同じパターンが偶発的に生じる可能性を略ゼロにしている。
【００２３】
ユーザコードエリアＡ１，Ａ２には、ユーザコードＵＣの１バイト目であるチェックサムが記録される。
チェックサムは、ユーザコードＵＣの上記１〜３バイト目の値を加算した場合に００Ｈとなる値を示している。
【００２４】
例えば、撮像装置１０は、タイムコード「００：００：００：０１」のタイミングでユーザからショットマークの指示を受けると、図４に示すように、タイムコード「００：００：００：０１」〜「００：００：００：２０」の２０フレームデータに対応するユーザコードＵＣとして図４に示す値をユーザコードエリアにそれぞれ記録する。
この場合に、図４に示すタイムコード「００：００：００：０１」〜「００：００：００：２０」の２０個のユーザコードＵＣを先頭から末尾に向けて順に組み合わせることでショットマークＳＭが規定される。
【００２５】
〔２−３プルダウン部１１〕
２−３プルダウン部１１は、例えば、磁気テープ２１から読み出したフレームデータから得られるビデオ信号を、４フレーム毎に、同じフレームを２つ連続して配置して新たなビデオ信号を生成し、これを磁気テープ２２に、前述した磁気テープ２１と同じフォーマットで記録する。
すなわち、２−３プルダウン部１１は、４フレームを単位として、当該単位の最後のフレームデータＦＤとそれに対応するユーザコードＵＣ等とを追加して５フレームにすることで、フレームレ−トを変換して新たなビデオ信号を生成する。
これにより、２−３プルダウン部１１は、磁気テープ２１から読み出したフレームデータに対応した図４に示すショットマークＳＭを、図５に示すショットマークＳＭ１に変換して磁気テープ２２に記録する。
図５に示すショットマークＳＭ１は、ショットマークＳＭとパターンが異なるため、図１に示す編集部１３はショットマークＳＭ１をショットマークとして適切に検出できない。
【００２６】
〔ＳＭ補正部１２〕
ＳＭ補正部１２は、磁気テープ２２に記録されたユーザコードＵＣを読み出し、ショットマークＳＭ１を編集部１３が検出可能なショットマークＳＭ２に書き換えて、フレームデータＦＤと対応付けて磁気テープ２３に記録する。
ここで、ショットマークＳＭ２は、ショットマークＳＭと同じパターンを有している。
【００２７】
図６は、図１に示すＳＭ補正部１２の構成図である。
図６に示すように、ＳＭ補正部１２は、例えば、読み出しヘッド３１、遅延回路３２、検出回路３３、置換回路３４および書き込みヘッド３５を有する。
【００２８】
読み出しヘッド３１は、磁気テープ２２の図２に示す傾斜トラックＴＤから、ビデオ信号およびオーディオ信号を読み出し、それを構成するフレームデータＦＤを遅延回路３２に出力する。
また、読み出しヘッド３１は、図２に示すタイムコードトラックＴＴの各フレームエリアからユーザコードＵＣを読み出し、当該読み出したユーザコードＵＣをそれに対応するフレームデータＦＤと同期させて検出回路３３および置換回路３４に出力する。
【００２９】
遅延回路３２は、読み出しヘッド３１から入力したフレームデータＦＤを、１フレームデータを遅延回路３２が入力するのに要する時間だけ遅延させて書き込みヘッド３５に出力する。
検出回路３３は、読み出しヘッド３１から入力した１フレームデータに対応するにユーザコードＵＣが、ショットマークの先頭のユーザコードＵＣ「ＣＡ：１３：２３：ＦＦ」である検証パターンＶＰと一致するか否かを検出する。
検出回路３３は、上記検出の結果Ｓ３３を置換回路３４に出力する。
なお、検証パターンＶＰは、ショットマークの先頭から複数のユーザコードＵＣを組み合わせて規定してもよい。この場合に、検証パターンＶＰを構成するユーザコードＵＣの数は、ショットマークを構成するユーザコードＵＣのうち、当該ショットマークを構成するユーザコードＵＣの数以下であり、かつ、遅延回路３２における遅延時間に対応するフレームデータＦＤの数以下であれば特に限定されない。
【００３０】
置換回路３４は、検出回路３３からの上記検出の結果Ｓ３３が一致を示すと、検出回路３３において一致が検出されたタイミングのユーザコードＵＣに続いて読み出しヘッド３１から入力したユーザコードＵＣを、ショットマークＳＭのうち対応するユーザコードＵＣに置換してショットマークＳＭ２を生成し、これを書き込みヘッド３５に出力する。
置換回路３４における処理時間は、例えば、遅延回路３２におけるフレームデータＦＤの遅延時間である１フレームデータに対応する時間である。
具体的には、検出回路３３および置換回路３４は、図５に示すユーザコードＵＣを、タイムコードＴＣ順に入力し、検出回路３３が図７に示すようにタイムコードＴＣ「００：００：００：０１」のタイミングで、ユーザコードＵＣ「ＣＡ：１３：２３：ＦＦ」と、検証パターンＶＰとの一致を検出する。
そのため、置換回路３４は、タイムコードＴＣ「００：００：００：０２」〜「００：００：００：２０」の１９フレームデータに対応するユーザコードＵＣを、それに対応するショットマークＳＭのユーザコードＵＣに置換する。
すなわち、置換回路３４は、検出回路３３が一致を検出したユーザコードＵＣから２０フレーム分のユーザコードＵＣを組み合わせて規定されるショットマークＳＭ１を強制的にショットマークＳＭ（ＳＭ２）のパターンに置換する。
【００３１】
また、置換回路３４は、タイムコードＴＣ「００：００：００：２１」〜「００：００：００：２５」の５フレームデータに対応するユーザコードＵＣを、例えば、タイムコードＴＣ「００：００：００：００」のタイミングのユーザコードＵＣである「ＸＸ：ＸＸ：ＸＸ：ＸＸ」に置換する。
【００３２】
書き込みヘッド３５は、遅延回路３２から入力したフレームデータＦＤと、それに対応して置換回路３４から入力したユーザコードＵＣとを同期させて、図２に示す磁気テープ２３の傾斜トラックＴＤと、タイムコードトラックＴＴの各フレームエリアとにそれぞれ書き込む。
【００３３】
以下、図６を参照してＳＭ補正部１２の動作例を説明する。
先ず、読み出しヘッド３１が、磁気テープ２２の図２に示す傾斜トラックＴＤから、ビデオ信号およびオーディオ信号を読み出し、それを構成するフレームデータＦＤを遅延回路３２に出力する。
また、読み出しヘッド３１は、フレームデータＦＤの各々と同期して、図２に示すタイムコードトラックＴＴの各フレームエリアからユーザコードＵＣを読み出して検出回路３３および置換回路３４に出力する。
【００３４】
そして、遅延回路３２は、読み出しヘッド３１から入力したフレームデータＦＤを、１フレームデータに対応する時間だけ遅延して書き込みヘッド３５に出力する。
それと並行して、検出回路３３および置換回路３４が以下の動作を行う。
検出回路３３は、読み出しヘッド３１から入力した１フレームデータに対応するにユーザコードＵＣが、ショットマークの先頭のユーザコードＵＣ「ＣＡ：１３：２３：ＦＦ」である検証パターンＶＰと一致するか否かを検出する。
検出回路３３は、上記検出の結果Ｓ３３を置換回路３４に出力する。
そして、置換回路３４は、検出回路３３からの上記検出の結果Ｓ３３が一致を示すと、検出回路３３において一致が検出されたタイミングのユーザコードＵＣに続いて読み出しヘッド３１から入力したユーザコードＵＣを、ショットマークＳＭのうち対応するユーザコードＵＣに置換してショットマークＳＭ２（ＳＭ）を生成し、これを書き込みヘッド３５に出力する。
【００３５】
そして、書き込みヘッド３５は、遅延回路３２から入力したフレームデータＦＤと、それに対応して置換回路３４から入力したユーザコードＵＣとを、図２に示す磁気テープ２３の傾斜トラックＴＤと、タイムコードトラックＴＴの各フレームエリアとにそれぞれ書き込む。
【００３６】
〔編集部１３〕
編集部１３は、磁気テープ２３の図２に示す傾斜トラックＴＤから、ビデオ信号およびオーディオ信号を読み出し、これをフレームデータ単位で編集を行う。
また、編集部１３は、フレームデータＦＤの各々と同期して、図２に示すタイムコードトラックＴＴの各フレームエリアから、ユーザコードＵＣを読み出す。
編集部１３は、上記読み出したユーザコードＵＣを基に、ショットマークを検出し、その結果をフレームデータの編集に利用する。
【００３７】
以下、図１に示すデータ処理システム１の全体動作例を説明する。
先ず、撮像装置１０が、撮像により得たビデオ信号、並びに音声入力により得たオーディオ信号をデジタル形式でフレームデータＦＤとして磁気テープ２１に記録する。
そして、２−３プルダウン部１１が、例えば、磁気テープ２１から読み出したフレームデータから得られるビデオ信号を、４フレーム毎に、同じフレームを２つ連続して配置して新たなビデオ信号を生成し、これを磁気テープ２２に、前述した磁気テープ２１と同じフォーマットで記録する。
【００３８】
そして、ＳＭ補正部１２が、磁気テープ２２に記録されたユーザコードＵＣを読み出し、図５に示すショットマークＳＭ１を編集部１３が検出可能な図７に示すショットマークＳＭ２に書き換えて、フレームデータＦＤと対応付けて磁気テープ２３に記録する。
そして、編集部１３が、磁気テープ２３の図２に示す傾斜トラックＴＤから、ビデオ信号およびオーディオ信号を読み出し、これをフレームデータ単位で編集を行う。
また、編集部１３は、フレームデータＦＤの各々と同期して、図２に示すタイムコードトラックＴＴの各フレームエリアから、ユーザコードＵＣを読み出す。
編集部１３は、上記読み出したユーザコードＵＣを基にショットマークを検出し、その結果をフレームデータの編集に利用する。
【００３９】
以上説明したように、データ処理システム１によれば、ユーザコードＵＣを組み合わせて規定されるショットマークＳＭが付加されたフレームデータに対して、２−３プルダウン部１１においてフレームデータおよびそれに対応するユーザコードＵＣを追加した場合でも、ＳＭ補正部１２において、それを検出して正しいショットマークＳＭ２に変換できる。
そのため、編集部１３は、ショットマークＳＭ２を適切に検出でき、それを利用してフレームデータＦＤの編集を行うことができる。
また、データ処理システム１によれば、上述したように、ＳＭ補正部１２では、入力した１フレームデータに同期して入力した１個のユーザコードＵＣが、ショットマークを構成する先頭のユーザコードＵＣと一致した場合に、上記置換を行うことで、遅延回路３２において遅延ために保持するフレームデータＦＤのデータ量を１フレームデータのデータ量にでき、遅延回路３２を小規模に構成できる。
また、データ処理システム１では、ユーザコードＵＣは、４バイトのデータであり、ユーザが指定したコードが偶発的にショットマークの先頭のユーザコードと一致する可能性は非常に低く、略ゼロである。従って、ユーザが指定したコードを基に誤ってショットマークを生成してしまう可能性は略ゼロである。
【００４０】
第２実施形態
以下、図８〜図１１を参照して本実施形態のデータ処理システム１０１について説明する。
図８は、データ処理システム１０１の構成図である。
図８に示すように、データ処理システム１０１は、撮像装置１０、逆２−３プルダウン部５１、ＳＭ補正部５２および編集部１３を有する。
図９は、図８に示すＳＭ補正部５２の構成図である。
図９に示すように、ＳＭ補正部５２は、読み出しヘッド３１、遅延回路３２、検出回路３３、書き込みヘッド３５および置換回路７４を有する。
図８および図９において、図１および図６と同じ符号を付した構成要素は、第１実施形態で説明したものと同じである。
図８に示す逆２−３プルダウン部５１が第１および第２の発明の変換手段に対応している。
また、図９に示す置換回路７４が第１および第２の発明の置換手段に対応している。
【００４１】
逆２−３プルダウン部５１は、例えば、磁気テープ２１から読み出したフレームデータから得られるビデオ信号を、５フレーム毎に１フレームを削除して（欠落させて）ビデオ信号を生成し、これを磁気テープ６２に、図２を用いて前述した磁気テープ２１と同じフォーマットで記録する。
すなわち、逆２−３プルダウン部５１は、５フレームを単位として、当該単位の最後のフレームデータＦＤとそれに対応するユーザコードＵＣ等とを削除して４フレームにすることで、フレームレ−トを変換して新たなビデオ信号を生成する。
これにより、２−３プルダウン部１１は、磁気テープ２１から読み出したフレームデータに対応した図４に示すショットマークＳＭを、図１０に示すショットマークＳＭ１０に変換して磁気テープ６２に記録する。
図１０に示すショットマークＳＭ１０は、ショットマークＳＭ１０とパターンが異なるため、図１に示す編集部１３はショットマークＳＭ１０をショットマークとして適切に検出できない。
【００４２】
置換回路７４は、検出回路３３からの上記検出の結果Ｓ３３が一致を示すと、検出回路３３において一致が検出されたタイミングのユーザコードＵＣに続いて読み出しヘッド３１から入力したユーザコードＵＣを、ショットマークＳＭのうち対応するユーザコードＵＣに置換してショットマークＳＭ１１を生成し、これを書き込みヘッド３５に出力する。
置換回路７４における処理時間は、例えば、遅延回路３２におけるフレームデータＦＤの遅延時間である１フレームデータに対応する時間である。
具体的には、検出回路３３および置換回路７４は、図１０に示すユーザコードＵＣを、タイムコードＴＣ順に入力し、検出回路３３が図１１に示すようにタイムコードＴＣ「００：００：００：０１」のタイミングで、ユーザコードＵＣ「ＣＡ：１３：２３：ＦＦ」と、検証パターンＶＰとの一致を検出する。
そして、置換回路７４は、タイムコードＴＣ「００：００：００：０２」〜「００：００：００：２０」の１９フレームデータに対応するユーザコードＵＣを、それに対応するショットマークＳＭのユーザコードＵＣに置換する。
すなわち、置換回路７４は、検出回路３３が一致を検出したユーザコードＵＣから２０フレーム分のユーザコードＵＣを強制的にショットマークＳＭ（ＳＭ１０）のパターンに置換する。
【００４３】
以下、図８に示すデータ処理システム１０１の動作例を説明する。
先ず、撮像装置１０が、撮像により得たビデオ信号、並びに音声入力により得たオーディオ信号をデジタル形式でフレームデータＦＤとして磁気テープ（磁気テープ）２１に記録する。
そして、逆２−３プルダウン部５１が、例えば、磁気テープ２１から読み出したフレームデータから得られるビデオ信号を、５フレーム毎に１フレームを削除して（欠落させて）ビデオ信号を生成し、これを磁気テープ６２に、図２を用いて前述した磁気テープ２１と同じフォーマットで記録する。
【００４４】
そして、ＳＭ補正部５２が、磁気テープ２２に記録されたユーザコードＵＣを読み出し、図１０に示すショットマークＳＭ１０を編集部１３が検出可能な図１１に示すショットマークＳＭ１１に書き換えて、フレームデータＦＤと対応付けて磁気テープ２３に記録する。
そして、編集部１３が、磁気テープ２３の図２に示す傾斜トラックＴＤから、ビデオ信号およびオーディオ信号を読み出し、これをフレームデータ単位で編集を行う。
また、編集部１３は、フレームデータＦＤの各々と同期して、図２に示すタイムコードトラックＴＴの各フレームエリアから、ユーザコードＵＣを読み出す。
編集部１３は、上記読み出したユーザコードＵＣを基にショットマークを検出し、その結果をフレームデータの編集に利用する。
【００４５】
以上説明したように、データ処理システム１０１によれば、ユーザコードＵＣを組み合わせて規定されるショットマークＳＭが付加されたフレームデータに対して、逆２−３プルダウン部５１においてフレームデータおよびそれに対応するユーザコードＵＣを削除した場合でも、ＳＭ補正部５２において、それを検出して正しいショットマークＳＭ１１に変換できる。
そのため、編集部１３は、ショットマークＳＭ１１を適切に検出でき、それを利用してフレームデータＦＤの編集を行うことができる。
【００４６】
本発明は上述した実施形態には限定されない。
上述した実施形態では、図１に示すように、２−３プルダウン部１１においてフレームレートを変換して磁気テープ２２に記録した後にＳＭ補正部１２においてユーザコードＵＣの置換を行う場合を例示したが、２−３プルダウン部１１におけるレート変換中に磁気テープ２２にユーザコードＵＣを書き込む際に上記置換を行ってもよい。
【００４７】
上述した実施形態では、１フレームデータに対応するにユーザコードＵＣが、ショットマークの先頭のユーザコードＵＣと一致した場合に、検出回路３３が一致を検出した。
本発明は、遅延回路３２における遅延時間に対応するフレームデータ数以下であれば、検出回路３３は、読み出しヘッド３１から連続して入力した第３の所定数（複数）のユーザコードＵＣを入力順に組み合わせて規定されるパターンデータが、ショットマークの先頭側の上記第３の所定数のユーザコードＵＣによって規定されるパターンデータと一致するか否かを検出してもよい。
【００４８】
また、上述した実施形態では、フレームデータがビデオ信号およびオーディオ信号で構成される場合を例示したが、本発明のフレームデータは、ビデオ信号およびオーディオ信号の何れか一方のみで構成されていてもよい。
【００４９】
また、上述した実施形態では、本発明の識別マークとして、ショットマークを例示したが、連続した複数のフレームデータに対応する指標データに付加されるものであれば、ショットマーク以外の識別マークを用いてもよい。
【００５０】
また、上述した実施形態では、ＳＭ補正部１２が、読み出しヘッド３１および書き込みヘッド３５を有する場合を例示した。
但し、ＳＭ補正部１２が２−３プルダウン部１１からデータ伝送線を介してフレームデータＦＤおよびユーザコードＵＣを入力する場合には読み出しヘッド３１の代わりに入力インタフェース回路が用いられる。
また、ＳＭ補正部１２がデータ伝送線を介して編集部１３に、フレームデータＦＤおよびユーザコードＵＤを出力する場合には、書き込みヘッド３５の代わりに出力インタフェース回路が用いられる。
【産業上の利用可能性】
【００５１】
本発明は、連続して処理されるフレームデータの追加または削除を伴う処理が生じた場合に、複数のフレームデータにそれぞれ対応した指標データ（ユーザコード）を組み合わせて規定される識別マーク（ショットマーク）の検出するシステム等に適用可能である。
【図面の簡単な説明】
【００５２】
【図１】図１は、本発明の第１実施形態に係るデータ処理システムの構成図である。
【図２】図２は、図１に示す磁気テープの記録フィーマットを説明するための図である。
【図３】図３は、図２に示すタイムコードエリアＴＴのフォーマットを説明するための図である。
【図４】図４は、図１に示す磁気テープ２１に記録されるショットマークのパターンを説明するための図である。
【図５】図５は、図１に示す磁気テープ２２に記録されるショットマークのパターンを説明するための図である。
【図６】図６は、図１に示すＳＭ補正部の構成図である。
【図７】図７は、図１に示す磁気テープ２３に記録されるショットマークのパターンを説明するための図である。
【図８】図８は、本発明の第２実施形態に係るデータ処理システムの構成図である。
【図９】図９は、図８に示すＳＭ補正部の構成図である。
【図１０】図１０は、図１に示す磁気テープ６２に記録されるショットマークのパターンを説明するための図である。
【図１１】図１１は、図１に示す磁気テープ６３に記録されるショットマークのパターンを説明するための図である。
【符号の説明】
【００５３】
１，１０１…データ処理システム、１０…撮像装置、１１…２−３プルダウン部、１２…ＳＭ補正部、１３…編集部、３１…読み出しヘッド、３２…遅延回路、３３…検出回路、３４…置換回路、３５…書き込みヘッド、５１…逆２−３プルダウン部、５２…ＳＭ補正部、７４…置換回路、ＳＭ，ＳＭ１，ＳＭ２，ＳＭ１０，ＳＭ１１…ショットマーク，ＦＤ…フレームデータ
【図１】
2005039502.tif 000003
【図２】
2005039502.tif 000004
【図３】
2005039502.tif 000005
【図４】
2005039502.tif 000006
【図５】
2005039502.tif 000007
【図６】
2005039502.tif 000008
【図７】
2005039502.tif 000009
【図８】
2005039502.tif 000010
【図９】
2005039502.tif 000011
【図１０】
2005039502.tif 000012
【図１１】
2005039502.tif 000013